(57)【特許請求の範囲】
【請求項１】
多数の繊維を引き揃え、これをバインダーで固着して棒状体とし、その内部にインキを誘導するための毛細管を形成した筆記体であって、
その中央部に位置する繊維を、外周部に位置する繊維の径より大きい径の繊維で構成して、
前記中央部を構成する繊維が１７デシテックスから２２デシテックスの繊維であり、前記外周部を構成する繊維が２．２デシテックスから５．５デシテックスの繊維であることを特徴とする筆記体。
【請求項２】
略円筒状に形成され、横断視で、前記中央部を取り巻く前記外周部の幅が、前記筆記体の半径の長さに対して、３分の１乃至５分の１であることを特徴とする請求項１に記載の筆記体。
【発明の詳細な説明】
【技術分野】
【０００１】
本発明は、多数の繊維を引き揃え、これをバインダーで固着し、その内部にインキを誘導するための毛細管を形成した筆記体に関するもので、特に、塗布具の先端に装着される顔料インキ用の筆記体に関するものである。
【背景技術】
【０００２】
塗布具は、一般には、軸筒内にインキを充填又は含浸させたインキタンク、インキ吸蔵体を備え、そのインキタンク等に、棒状の筆記体の後端を接続し、該筆記体の先端を軸筒の外部に露出させて構成される。
【０００３】
塗布具としては、文字、マーキング等を書くためのもの、アイシャドー、マスカラなどの化粧用に用いるもの等がある。
また、インキとしては、水性顔料インキ、水性染料インキ、油性顔料インキ、油性染料インキ等のものがある。このようなインキは、インキタンクに充填されるか、多孔質体、例えば、スポンジ状、多数の繊維を引き揃えたスライバー等のインキ吸蔵体に含浸され、筆記に供される。
【０００４】
筆記体は、その内部にインキを誘導するための毛細管を備え、インキタンク等からインキをその先端に誘導して、紙面等または人体の皮膚等上に筆記または塗布するものであればよく、各種構造の筆記体が提供されている。
【０００５】
特許文献によれば、筆記具のインキ吸蔵体とペン芯との間に介挿される中継芯において、中継芯の断面構造を内層部及び外層部を有する構造とし、外層部の毛細管力が内層部の毛細管力よりも大きい疎密構造体、例えば、外層部を密構造体年、内層部を疎構造体とすること，又は逆の構造体とすることについて開示されている。しかし、この特許文献では、中継芯であるのこと、また、顔料インキとの関連で記載されていない。
上記構成を推測すれば、図６に示すように、中継芯１０は同一デシテックス（デニール）の繊維が外層部で密に、内層部側にゆくにしたがって疎になるように構成されていると考えられる。
【先行技術文献】
【特許文献】
【０００６】
【特許文献１】特開２００４−６６４７９号公報
【発明の概要】
【発明が解決しようとする課題】
【０００７】
従来の塗布具において、多数の繊維（全ての繊維の径は略同一）を引き揃え、これをバインダー（繊維同士を部分的に接着する合成樹脂材料）で固着して棒状とし、その内部にインキを誘導するための毛細管を形成した筆記体を備えた塗布具が広く知られ、使用されている。
【０００８】
この多数の繊維を利用した筆記体には、多くの場合、油性又は水性染料インキが使用されているが、最近、マーカーの利用、化粧用の塗布具への利用から顔料を用いた油性又は水性インキを使用する場合が多くなってきた。
【０００９】
顔料を用いたインキを使用する場合の問題点は、染料を用いたインキに比べて、顔料を用いたインキは、顔料の粒子が大きいため、多数の繊維間に形成される毛細管の大きさ（繊維間の幅）が小さいと流れが悪くなり、塗布に支障を来たし、場合によっては、インキの繊維間の目詰まりを生じさせていた。また、反対に、インキの流れをよくするために、前記毛細管の間隙を大きくすると、塗布状態ではインキの十分な供給量を筆記体先端に供給することができるが、塗布具をペン立て等に差したときなどで筆記体の先端が上方を差すような場合にインキが自重のためインキタンク等側に落ちるインキ落ち現象（ドレーンバック）が発生する。インキ落ちが生じた状態で、塗布具を再使用するとき、直ぐに使用できないので待たねばならず、しかも、振ったりするとインキのぼた落ちを生ずる場合があった。
【００１０】
上記知見から本発明は、顔料を用いたインキを円滑に塗布面に供給でき、かつ塗布具の倒立の際にインキ落ち現象の少ない、筆記用及び化粧用に用いるための、顔料インキ用の筆記体を提供するものである。
【課題を解決するための手段】
【００１１】
本発明は、上記課題を解決するための手段として、請求項１に記載の発明は、多数の繊維を引き揃え、これをバインダーで固着して棒状体とし、その内部にインキを誘導するための毛細管を形成した筆記体であって、その中央部に位置する繊維を、外周部に位置する繊維の径より大きい径の繊維で構成して、前記中央部を構成する繊維が１７デシテックス（１５デニール）から２２デシテックス（２０デニール）の繊維であり、前記外周部を構成する繊維が２．２デシテックス（２デニール）から５．５デシテックス（５デニール）の繊維であることを特徴とするものである。
【００１２】
上記の構成からなる筆記体は、中央部に径の大きい繊維が位置するため、中央部の繊維間に形成される毛細管が外周部の繊維間に形成される毛細管より大きく（空隙が大きく）形成されている。その外周部には径の小さい繊維が取り囲んでいるので、中央部に対し外周部の方が毛細管力（繊維間における塗布液の上昇力）は強くなる。
【００１３】
インキが、インキの消耗にしたがって、インキタンク等から筆記体の毛細管の中を誘導されて塗布面に、筆記体の毛細管現象により供給されるとき、中央部と外周部との両者を通って塗布される。
【００１４】
塗布具の使用後において、塗布具をペン立て等に倒立したとき、筆記体中のインキは、筆記体の外周部の毛細管力が大きいため、外周部において保持され、外周部に保持されたインキによって濡れ性が中央部の周囲に維持された状態となり、かつ、外周部が存在するだけ中央部の径が細いので毛細管力を弱めるようには働かないので、総合的にドレーンバックしないで少し後退した状態でその位置に留まる。再度の使用において、筆記体の先端を下方に向ければ外周部に塗布液が保持されているので、中央部内のインキは円滑に筆記体先端に供給される。
【００１６】
請求項２に記載の発明は、請求項１に記載された筆記体であって、略円筒状に形成され、横断視で、前記中央部を取り巻く前記外周部の幅が、前記筆記体の半径の長さに対して、３分の１乃至５分の１であることを特徴とするものである。
【発明の効果】
【００１７】
本発明は以上の構成からなるものであるから、請求項１にあっては、筆記体を構成する、中央部に位置する繊維を、外周部に位置する繊維の径より大きい径の繊維で構成したことにより、中央部の繊維間に顔料インキの円滑な通過に適した空隙（毛細管）が形成しやすく、かつ中央部を取り囲む外周部には顔料インキが浸潤して、外周部は勿論のこと中央部と外周部との境部分を濡れた状態に保持するので、中央部のインキに対し毛細管現象を維持し、筆記体の中央部におけるインキをドレーンバックしない状態を維持することができる。
【００１８】
請求項２及び請求項３に記載の発明は、更に、外周部と中央部とを構成する繊維の径が１１デシテックス乃至２０デシテックス（１０乃至１８デニール）の差があるか、又は中央部の周囲に毛細管力の強い外周部を適度の範囲で備えることにより請求項１の作用効果をより明確とさせることが出来る。
【図面の簡単な説明】
【００１９】
【図１】図１は、本発明の実施形態に係る筆記体の横断面図である。
【図２】図２は、図１の部分を拡大して示した断面図である。
【図３】図３は、本発明の実施形態に係る筆記体を装着した塗布具の縦断面図である。
【図４】図４は、本発明の実施形態に係る筆記体を装着した、図３とは別のタイプの塗布具の縦断面図である。
【図５】図５は、図３及び図４の筆記体と先端形状の相違した別の筆記体を示す縦断面である。
【図６】図６は、従来技術の筆記体の横断面図である。
【発明を実施するための形態】
【００２０】
以下、本発明を実施するための形態を図１〜図５に基いて詳細に説明する。
本発明は、図１及び図２に示すように、多数の繊維１ａ、１ｂを引き揃え、これをバインダーで固着して棒状体とし、その内部にインキ（本実施の形態では顔料インキ）を誘導するための毛細管２を形成した筆記体３であって、その中央部Ｂに位置する繊維１ｂを、これを取り巻く外周部Ａに位置する繊維１ａの径より大きい径の繊維で構成し、中央部Ｂに形成される毛細管２ｂを、外周部Ａに形成される毛細管２ａより大きくしてなる顔料インキ用の筆記体３である。
該筆記体３は、文字、マーキング等を書くための塗布具６またはアイシャドー、マスカラなどの化粧用に用いる塗布具６の先端に備えられている。
【００２１】
図１は筆記体３の横断面図であるが、繊維の太さ、配置などは、誇張して記載されている。実際には、外周部Ａに位置する繊維１ａはポリエステル合成繊維、ポリアミド合成繊維等からなり、２．２、３．３または５．５デシテックス（２、３または５デニール）の繊維が使用されている。中央部Ｂに位置する繊維１ｂはポリエステル合成繊維、ポリアミド合成繊維等からなり、１７または２２デシテックス（１５または２０デニール）の繊維が使用されている。
外周部Ａにおいて、２．２デシテックス（２デニール）の繊維に３．３または５．５デシテックス（３または５デニール）の繊維を混在して、また、中央部Ｂにおいて、１７及び２２デシテックス（１５及び２０デニール）の繊維を混在して使用しても良いが、例えば、２．２デシテックス、１７デシテックス（２デニール、１５デニール）夫々単独で構成した方が均質な筆記性能を有する筆記体３をうるのに望ましい。
中央部Ｂに位置する繊維１ｂと、外周部Ａに位置する繊維１ａとの境面は、図面では円形に記載してあるが、相互に入り込んだ凹凸のある境面でもよい。
【００２２】
上記２層の筆記体３は以下のようにして構成される。帯状に径の細い捲縮した繊維１ａを引き揃えた状態とし、その内側に、棒状に束ねた径の太い繊維１ｂを供給し、棒状繊維１ｂの周囲から帯状繊維１ａを巻きつければ、容易に長尺の棒状物を構成することが出来きるとともに外周部Ａの毛細管２ａより大きい所望の毛細管２ｂを持つ中央部Ｂを形成することが出来る。上記のように構成した２層（外周部Ａ、中央部Ｂ）の繊維１ａ、１ｂからなる棒状体は、ウレタン樹脂等のバインダーに浸漬した後、乾燥し、各繊維間を部分的に固着して、各繊維間に毛細管２（外周部Ａ：毛細管２ａ，中央部Ｂ：毛細管２ｂ）を形成する。乾燥された棒状体は、所望の長さに切断される。その先端は筆記に適した先端形状、例えば、図３及び図４に示すように弾丸状に、又は図５に示すように楔状（チゼル状）に研削され、その後端は軸筒４内のインキタンクまたはインキ吸蔵体に挿入しインキを吸収し易い形状に研削されて筆記体３となる。
【００２３】
筆記体３の毛細管２は、該筆記体３の中央部Ｂに径の大きい繊維１ｂが位置するため、中央部Ｂの繊維１ｂ間に形成される毛細管２ｂが、外周部Ａの繊維１ａ間に形成される毛細管２ａより大きく（空隙が大きく）形成されて構成される。外周部Ａには径の小さい繊維が取り囲んでいるので、中央部Ｂに対し外周部Ａの方が毛細管力（繊維間における塗布液の上昇力）は強くなる。
筆記体３は、略円筒状に形成され、横断視で（図１）、中央部Ｂを取り巻く外周部Ａの幅Ｅが、筆記体３の半径Ｄに対して、３分の１乃至５分の１の幅Ｅを有することが望ましい。
この筆記体３には一般的な顔料インキと言われるものが採用しうる。油性顔料インキは、主に溶剤、顔料、樹脂からなり、水性顔料インキは、主に水、湿潤剤、顔料、樹脂からなる。一般の顔料は０．１〜３μｍ前後の粒径を有し、メタリック系顔料は６〜１５μｍの粒径を有する。
【００２４】
上述した筆記体３は、図３に示すように、軸筒４の先端にバルブ機構１０を備えたタイプの塗布具６の先端、または、図４に示すように、軸筒４内に顔料インキ５を含浸させたインキ吸蔵体を備えたタイプの塗布具６の先端に装着される。
図３に示すタイプの塗布具６では、筆記体３の先端を塗布面に接触させると共に筆記体３を軸筒４内に若干後退させることでバルブ機構１０が開き、すなわち、弁本体１１がスプリング１２を圧縮させながら弁座１３から離間して、軸筒４内の顔料インキ５が弁本体１１と弁座１３との隙間から筆記体３の毛細管２を通って円滑に塗布面に流出するようになる。また、図４に示すタイプの塗布具６では、筆記体３の先端が塗布面に接触するように塗布具６を立てれば、軸筒４内の顔料インキ５が筆記体３の毛細管２を通って円滑に塗布面に流出するようになる。
これらのタイプの塗布具６において、顔料インキ５を筆記体３から塗布面に流出させた後、キャップをして、筆立てに差し塗布具６を倒立状態とした。１時間後に、再度塗布を行ったところ前と変わらない筆記感で塗布することが出来た。
【００２５】
（実施例）
図３及び図４に示すように、軸筒４に装着された先端を弾丸状に研削した筆記体３は、その外周部Ａに位置する繊維１ａを５．５デシテックス（５デニール）の繊維とし、中央部Ｂに位置する繊維１ｂを２２デシテックス（２０デニール）の繊維として構成した。筆記体３の後端に接続した軸筒４内には３μｍの酸化チタン（緑色）の顔料を含むインキが充填されている。
筆記体３の直径（２Ｄ）は・・・４．５ｍｍ
外周部Ａの幅Ｅ・・・０．５ｍｍ（中央部Ｂの直径：３．５ｍｍ）
外周部Ａの幅Ｅ／筆記体３の半径（Ｄ）・・・１／４．５
外周部Ａの繊維１ａ・・・５．５デシテックス（５デニール）の繊維：５４００本
外周部Ａの空隙率（毛細管２ａ）・・・約６５％
中央部Ｂの繊維１ｂ・・・２２デシテックス（２０デニール）の繊維：１４６４本
中央部Ｂの空隙率（毛細管２ｂ）・・・約７５％
該筆記体３を使用した際、塗布線は望ましいものであった。筆立てに倒立して置き、１時間後の使用において直ちに塗布することが出来た。
【００２６】
また、その他の組み合わせとして、筆記体３（直径２Ｄ及び外周部Ａの幅Ｅは上述したものと同一）を、外周部Ａに２．２デシテックス（２デニール）の繊維を１３５３６本、中央部Ｂに２２デシテックス（２０デニール）の繊維を１４６４本として構成する。この形態の場合も、外周部Ａの空隙率（毛細管２ａ）は約６５％、中央部Ｂの空隙率（毛細管２ｂ）は約７５％に設定される。
さらに、筆記体３を、外周部Ａに３．３デシテックス（３デニール）の繊維を９０２４本、中央部Ｂに１７デシテックス（１５デニール）の繊維を１９４０本として構成する。この形態の場合も、外周部Ａの空隙率（毛細管２ａ）が約６５％、中央部Ｂの空隙率（毛細管２ｂ）が約７５％に設定される。
【符号の説明】
【００２７】
１ａ  外周部を構成する繊維，１ｂ  中央部を構成する繊維，２  毛細管（繊維間の間隙），２ａ  外周部の毛細管，２ｂ  中央部の毛細管，３  筆記体，４  軸筒，５  顔料インキ，６  塗布具，Ａ  筆記体の外周部，Ｂ  筆記体の中央部
【図１】
0005388011.tif 000002
【図２】
0005388011.tif 000003
【図３】
0005388011.tif 000004
【図４】
0005388011.tif 000005
【図５】
0005388011.tif 000006
【図６】
0005388011.tif 000007